(57)【要約】【課題】信号の伝送の遅延を削減することが可能である無線通信システム及び無線通信方法を提供する。【解決手段】無線通信システムは、信号処理を実行する装置である信号処理装置と無線通信を実行する装置である無線通信装置とを備える無線通信システムであって、信号処理装置は、無線通信装置における下り信号の処理単位に応じて下り信号を分割し、分割された下り信号を直列に伝送する下り伝送部を備え、無線通信装置は、信号処理装置における上り信号の処理単位に応じて上り信号を分割し、分割された上り信号を直列に伝送する上り伝送部を備える。【選択図】図１
2019009635.tif 000002
【特許請求の範囲】
【請求項１】
信号処理を実行する装置である信号処理装置と無線通信を実行する装置である無線通信装置とを備える無線通信システムであって、
前記信号処理装置は、
前記無線通信装置における下り信号の処理単位に応じて前記下り信号を分割し、分割された前記下り信号を直列に伝送する下り伝送部を備え、
前記無線通信装置は、
前記信号処理装置における上り信号の処理単位に応じて前記上り信号を分割し、分割された前記上り信号を直列に伝送する上り伝送部を備える、
無線通信システム。
【請求項２】
前記信号処理装置は、
ＭＡＣ（Media Access Control）に関する処理を前記下り信号に施すＭＡＣ機能部を備え、
前記無線通信装置は、
符号化処理を前記下り信号に施す符号化部と変調処理を前記下り信号に施す変調部と復号処理を前記上り信号に施す復号部とのうち、前記符号化部及び前記変調部と前記復号部とのうちのいずれかを備え、
前記下り伝送部は、前記無線通信装置が前記符号化部及び前記変調部を備える場合、前記ＭＡＣに関する処理が施された前記下り信号を、前記符号化部又は前記変調部の処理単位に応じて分割し、
前記上り伝送部は、前記無線通信装置が前記復号部を備える場合、前記復号処理が施された前記上り信号を、前記ＭＡＣ機能部の処理単位に応じて分割する、
請求項１に記載の無線通信システム。
【請求項３】
前記信号処理装置は、
符号化処理を前記下り信号に施す符号化部と復号処理を前記上り信号に施す復号部とのうちのいずれかと、ＭＡＣ（Media Access Control）に関する処理を前記下り信号に施すＭＡＣ機能部とを備え、
前記無線通信装置は、
変調処理を前記下り信号に施す変調部と復調処理を前記上り信号に施す復調部とのうちのいずれかを備え、
前記下り伝送部は、前記信号処理装置が前記符号化部を備え前記無線通信装置が前記変調部を備える場合、前記符号化処理が施された前記下り信号を、前記変調部の処理単位に応じて分割し、
前記上り伝送部は、前記信号処理装置が前記復号部を備え前記無線通信装置が前記復調部を備える場合、前記復調処理が施された前記上り信号を、前記復号部又は前記ＭＡＣ機能部の処理単位に応じて分割する、
請求項１に記載の無線通信システム。
【請求項４】
前記信号処理装置は、
変調処理を前記下り信号に施す変調部と復号処理を前記上り信号に施す復号部とのうちのいずれかと、ＭＡＣ（Media Access Control）に関する処理を前記下り信号に施すＭＡＣ機能部とを備え、
前記無線通信装置は、
ＭＩＭＯ（Multiple-Input Multiple-Output）に関する処理を前記上り信号に施すＭＩＭＯ処理部を備え、
前記下り伝送部は、前記信号処理装置が前記変調部を備える場合、前記変調処理が施された前記下り信号を、前記ＭＩＭＯ処理部の処理単位に応じて分割し、
前記上り伝送部は、前記信号処理装置が前記復号部を備える場合、前記ＭＩＭＯに関する処理が施された前記上り信号を、前記復号部又は前記ＭＡＣ機能部の処理単位に応じて分割する、
請求項１に記載の無線通信システム。
【請求項５】
信号処理を実行する装置である信号処理装置と無線通信を実行する装置である無線通信装置とを備える無線通信システムが実行する無線通信方法であって、
前記信号処理装置が、前記無線通信装置における下り信号の処理単位に応じて前記下り信号を分割し、分割された前記下り信号を直列に伝送する下り伝送ステップと、
前記無線通信装置が、前記信号処理装置における上り信号の処理単位に応じて前記上り信号を分割し、分割された前記上り信号を直列に伝送する上り伝送ステップと
を含む無線通信方法。
【発明の詳細な説明】
【技術分野】
【０００１】
本発明は、無線通信システム及び無線通信方法に関する。
【背景技術】
【０００２】
移動通信システム等の無線通信システムにおいて基地局の設置の柔軟性を高めるため、Ｃ−ＲＡＮ（Cloud radio access network）の構成が検討されている。Ｃ−ＲＡＮでは、基地局の機能部が、ＣＵ（Central Unit：信号処理装置）とＤＵ（Distributed Unit：無線通信装置）とに搭載される。
【０００３】
従来のＣ−ＲＡＮでは、ベースバンド信号処理を実行する物理（ＰＨＹ: Physical）層の機能部は、ＣＵに集約されている。ＣＵ及びＤＵの間は、光ファイバ又は無線で接続される。例えば、ＣＵ及びＤＵは、無線信号に基づくＩＱ（In-phase and Quadrature-phase）データを表す信号を、光ファイバを介して伝送する。
【０００４】
ＣＵ及びＤＵの間の通信リンクは、モバイルフロントホール（ＭＦＨ: Mobile Fronthaul）と呼ばれる。モバイルフロントホールには、非常に大きな帯域が必要である。移動通信システムの標準化団体である３ＧＰＰ（3rd Generation Partnership Project）は、ＭＦＨの帯域を削減するため、Ｃ−ＲＡＮにおけるＣＵ及びＤＵの間の機能分割方式の再定義を議論している（非特許文献１参照）。
【０００５】
図１０は、機能分割方式「ＭＡＣ−ＰＨＹ  ｓｐｌｉｔ」の例を示す図である。「ＭＡＣ−ＰＨＹ  ｓｐｌｉｔ」は、ＭＡＣ（Media Access Control）層以上の機能部をＣＵに搭載し、物理層の機能部をＤＵに搭載するという機能分割方式である。
【０００６】
図１１は、機能分割方式「Ｉｎｔｒａ−ＰＨＹ  ｓｐｌｉｔ」の例を示す図である。「Ｉｎｔｒａ−ＰＨＹ  ｓｐｌｉｔ」は、ＭＡＣ層以上の機能部と一部の物理層の機能部とをＣＵに搭載し、残りの物理層の機能部をＤＵに搭載するという機能分割方式である。
【０００７】
次に、ＭＦＨ伝送について説明する。
従来のＣ−ＲＡＮでは、ＣＵ及びＤＵは、物理層における信号処理後の信号をＭＦＨ伝送している。これに対して、「ＭＡＣ−ＰＨＹ  ｓｐｌｉｔ」及び「Ｉｎｔｒａ−ＰＨＹ  ｓｐｌｉｔ」では、ＣＵ及びＤＵは、物理層における信号処理前又は信号処理中の信号をＭＦＨ伝送する。
【０００８】
物理層における信号の処理単位のサイズは、ＭＡＣ層から遠い物理層（下位の物理層）ほど小さい。すなわち、物理層における信号の処理単位のサイズは、ＭＡＣ層に近い物理層（上位の物理層）ほど大きい。
【０００９】
以下、ＭＡＣ層における処理単位である信号を「ＴＢ（Transport Block）」という。ＤＵ及び無線端末がＭＩＭＯ（Multiple-Input Multiple-Output）によって信号を伝送する場合、ＣＵは、２個のＴＢを、ＭＡＣ層において無線端末ごとに生成する。以下、最上位の物理層における符号化又は復号の処理単位である信号を「ＣＢ（Code Block）」という。ＣＵ又はＤＵは、ＴＢを分割することで、ＣＢを生成する（非特許文献２参照）。
【００１０】
変調又は復調は、符号化又は復号の次の処理である。以下、変調又は復調におけるビット精度の処理単位を「変調シンボルビット」という。無線端末の変調方式がＱＰＳＫ（Quadrature Phase Shift Keying）、１６ＱＡＭ（Quadrature Amplitude Modulation）、６４ＱＡＭ、２５６ＱＡＭである場合、変調シンボルビットは、それぞれ２、４、６、８ビットである。ＣＵ又はＤＵは、ＣＢを分割することで、変調シンボルビットを生成する（非特許文献３参照）。
【００１１】
以下では、ＤＵのアンテナの本数は、特定の本数に限定されない。以下では、ＤＵは、一例として４本のアンテナを備える。また、ＤＵの配下の無線端末（不図示）の台数は、特定の台数に限定されない。以下では、ＤＵの配下の無線端末の台数は、一例として２台である。
【００１２】
ＭＡＣ−ＰＨＹのＭＦＨ伝送について説明する。
図１２は、「ＭＡＣ−ＰＨＹ  ｓｐｌｉｔ」の下りリンクにおけるＭＦＨ伝送の例を示す図である。ＤＵ及び無線端末がＭＩＭＯによって信号を伝送する場合、ＣＵのＭＡＣ機能部は、各端末に帰属する２種類のＴＢである「ＴＢ１，１」、「ＴＢ１，２」、「ＴＢ２，１」、「ＴＢ２，２」の計４個の信号を、多重部に並列に出力する。ＣＵの多重部は、計４個の並列の信号を、計４個の直列の信号に変換（並列直列変換）する。ＣＵの多重部は、計４個の直列の信号を、ＴＢ単位で順番にＤＵに伝送する。ＤＵの分離部は、計４個の直列の信号を取得する。ＤＵの分離部は、計４個の直列の信号を、計４個の並列の信号に変換（直列並列変換）する。ＤＵは、無線端末ごとに２個の信号を、各無線端末に伝送する。
【００１３】
図１３は、「ＭＡＣ−ＰＨＹ  ｓｐｌｉｔ」の上りリンクにおけるＭＦＨ伝送の例を示す図である。ＤＵ及び無線端末がＭＩＭＯによって信号を伝送する場合、ＤＵの復号部は、各端末に帰属する２種類のＣＢである「ＣＢ１，１」、「ＣＢ１，２」、「ＣＢ２，１」、「ＣＢ２，２」の計４個の信号を、多重部に並列に出力する。ＤＵの多重部は、計４個の並列の信号を、計４個の直列の信号に変換（並列直列変換）する。ＤＵの多重部は、計４個の直列の信号を、ＣＢ単位で順番にＤＵに伝送する。ＣＵの分離部は、計４個の直列の信号を取得する。ＣＵの分離部は、計４個の直列の信号を、計４個の並列の信号に変換（直列並列変換）する。ＣＵのＭＡＣ機能部は、計４個の並列の信号に、ＭＡＣ層において信号処理を施す。
【００１４】
図１４は、物理層の符号化部及び変調部の間の「Ｉｎｔｒａ  ＰＨＹ  ｓｐｌｉｔ」の下りリンクにおけるＭＦＨ伝送の例を示す図である。ＤＵ及び無線端末がＭＩＭＯによって信号を伝送する場合、ＣＵの各符号化部は、各端末に帰属する２種類の符号化データブロックである「Ｃ１，１」、「Ｃ１，２」、「Ｃ２，１」、「Ｃ２，２」の計４個の信号を、多重部に並列に出力する。ここで、符号化データブロックは、符号化部の出力単位のことを指す。ＣＵの多重部は、計４個の並列の信号を、計４個の直列の信号に変換（並列直列変換）する。ＣＵの多重部は、計４個の直列の信号を、符号化データブロック単位で順番にＤＵに伝送する。ＤＵの分離部は、計４個の直列の信号を取得する。ＤＵの分離部は、計４個の直列の信号を、計４個の並列の信号に変換（直列並列変換）する。ＤＵの各変調部は、計４個の並列の信号に信号処理を施す。
【００１５】
図１５は、物理層の符号化部及び変調部の間の「Ｉｎｔｒａ  ＰＨＹ  ｓｐｌｉｔ」の上りリンクにおけるＭＦＨ伝送の例を示す図である。ＤＵ及び無線端末がＭＩＭＯによって信号を伝送する場合、ＤＵの各復調部は、各端末に帰属する２種類の対数尤度比（ＬＬＲ: Log Likelihood Ratio）である「ｌ１」、「ｌ２」の計４個の信号を、多重部に並列に出力する。ＤＵの多重部は、計４個の並列の信号を、計４個の直列の信号に変換（並列直列変換）する。ＤＵの多重部は、計４個の直列の信号を、ＬＬＲ単位で順番にＣＵに伝送する。ＣＵの分離部は、計４個の直列の信号を取得する。ＣＵの分離部は、計４個の直列の信号を、計４個の並列の信号に変換（直列並列変換）する。ＣＵの各復号部は、計４個の並列の信号に信号処理を施す。
【００１６】
図１６は、物理層の変調部及びＭＩＭＯ処理部の間の「Ｉｎｔｒａ  ＰＨＹ  ｓｐｌｉｔ」の下りリンクにおけるＭＦＨ伝送の例を示す図である。ＤＵ及び無線端末がＭＩＭＯによって信号を伝送する場合、ＣＵの各変調部は、各端末に帰属する２種類の変調シンボルＣＢである「Ｓ１，１」、「Ｓ１，２」、「Ｓ２，１」、「Ｓ２，２」の計４個の信号を、多重部に並列に出力する。ここで、変調シンボルＣＢは、変調部の出力単位のことを指す。ＣＵの多重部は、計４個の並列の信号を、計４個の直列の信号に変換（並列直列変換）する。ＣＵの多重部は、計４個の直列の信号を、変調シンボルＣＢ単位で順番にＤＵに伝送する。ＤＵの分離部は、計４個の直列の信号を取得する。ＤＵの分離部は、計４個の直列の信号を、計４個の並列の信号に変換（直列並列変換）する。ＤＵの各ＭＩＭＯ処理部は、計４個の並列の信号に信号処理を施す。
【００１７】
図１７は、物理層の変調部及びＭＩＭＯ処理部の間の「Ｉｎｔｒａ  ＰＨＹ  ｓｐｌｉｔ」の上りリンクにおけるＭＦＨ伝送の例を示す図である。ＤＵ及び無線端末がＭＩＭＯによって信号を伝送する場合、ＤＵの各ＭＩＭＯ処理部は、各端末に帰属する２種類の変調シンボル「ｓ１」、「ｓ２」の計４個の信号を、多重部に並列に出力する。ＤＵの多重部は、計４個の並列の信号を、計４個の直列の信号に変換（並列直列変換）する。ＤＵの多重部は、計４個の直列の信号を、変調シンボル単位で順番にＣＵに伝送する。ＣＵの分離部は、計４個の直列の信号を取得する。ＣＵの分離部は、計４個の直列の信号を、計４個の並列の信号に変換（直列並列変換）する。ＣＵの各復調部は、計４個の並列の信号に信号処理を施す。
【先行技術文献】
【非特許文献】
【００１８】
【非特許文献１】3GPP, TR 38.801, v14.0.0, “Study on New Radio Access Technology: Radio Access Architecture and Interfaces (Release 14),”Mar. 2017.
【非特許文献２】3GPP, TR 36.211, v14.2.0, “Evolved Universal Terrestrial Radio Access (E-UTRA); Physical Cannels and Modulation (Release 14),”Mar. 2017.
【非特許文献３】3GPP, TR 36.212, v14.2.0, “Evolved Universal Terrestrial Radio Access (E-UTRA); Multiplexing and Channel Coding (Release 14),”Mar. 2017.
【発明の概要】
【発明が解決しようとする課題】
【００１９】
ＣＵ及びＤＵの間のＭＦＨ伝送では、下りリンクのＤＵの分離部と上りリンクのＣＵの分離部とにおいて、直列並列変換に関して遅延が発生する。
下りリンクのＤＵの分離部における直列並列変換に関して発生する遅延は、信号の伝送単位のサイズが大きいほど長い。例えば、図１２では、「ＴＢ１，１」よりも後にＭＦＨ伝送された「ＴＢ１，２」、「ＴＢ２，１」、「ＴＢ２，２」の信号がＤＵの分離部にそれぞれ取得されるまでの待ち時間に相当する遅延が、下りリンクのＤＵの分離部において発生する。したがって、下りリンクのＤＵの分離部における直列並列変換によって発生する遅延は、信号の伝送単位「ＴＢ１，１」のサイズが大きいほど長くなる。
【００２０】
上りリンクのＣＵの分離部における直列並列変換によって発生する遅延は、信号の伝送単位のサイズが小さいほど長い。例えば、図１３では、上りリンクのＣＵの分離部における直列並列変換によって発生する遅延は、ＭＨＦ伝送された各信号の合計のサイズがＴＢのサイズになるまでの待ち時間に相当する遅延が、上りリンクのＣＵの分離部において発生する。したがって、上りリンクのＣＵの分離部における直列並列変換によって発生する遅延は、「ＣＢ１，１」等の信号の伝送単位のサイズが小さいほど長い。
これらのように、従来の無線通信システムは、信号の伝送の遅延を削減することができない、という問題があった。
【００２１】
上記事情に鑑み、本発明は、信号の伝送の遅延を削減することが可能である無線通信システム及び無線通信方法を提供することを目的としている。
【課題を解決するための手段】
【００２２】
本発明の一態様は、信号処理を実行する装置である信号処理装置と無線通信を実行する装置である無線通信装置とを備える無線通信システムであって、前記信号処理装置は、前記無線通信装置における下り信号の処理単位に応じて前記下り信号を分割し、分割された前記下り信号を直列に伝送する下り伝送部を備え、前記無線通信装置は、前記信号処理装置における上り信号の処理単位に応じて前記上り信号を分割し、分割された前記上り信号を直列に伝送する上り伝送部を備える、無線通信システムである。
【００２３】
本発明の一態様は、上記の無線通信システムであって、前記信号処理装置は、ＭＡＣに関する処理を前記下り信号に施すＭＡＣ機能部を備え、前記無線通信装置は、符号化処理を前記下り信号に施す符号化部と変調処理を前記下り信号に施す変調部と復号処理を前記上り信号に施す復号部とのうち、前記符号化部及び前記変調部と前記復号部とのうちのいずれかを備え、前記下り伝送部は、前記無線通信装置が前記符号化部及び前記変調部を備える場合、前記ＭＡＣに関する処理が施された前記下り信号を、前記符号化部又は前記変調部の処理単位に応じて分割し、前記上り伝送部は、前記無線通信装置が前記復号部を備える場合、前記復号処理が施された前記上り信号を、前記ＭＡＣ機能部の処理単位に応じて分割する。
【００２４】
本発明の一態様は、上記の無線通信システムであって、前記信号処理装置は、符号化処理を前記下り信号に施す符号化部と復号処理を前記上り信号に施す復号部とのうちのいずれかと、ＭＡＣに関する処理を前記下り信号に施すＭＡＣ機能部とを備え、前記無線通信装置は、変調処理を前記下り信号に施す変調部と復調処理を前記上り信号に施す復調部とのうちのいずれかを備え、前記下り伝送部は、前記信号処理装置が前記符号化部を備え前記無線通信装置が前記変調部を備える場合、前記符号化処理が施された前記下り信号を、前記変調部の処理単位に応じて分割し、前記上り伝送部は、前記信号処理装置が前記復号部を備え前記無線通信装置が前記復調部を備える場合、前記復調処理が施された前記上り信号を、前記復号部又は前記ＭＡＣ機能部の処理単位に応じて分割する。
【００２５】
本発明の一態様は、上記の無線通信システムであって、前記信号処理装置は、変調処理を前記下り信号に施す変調部と復号処理を前記上り信号に施す復号部とのうちのいずれかと、ＭＡＣに関する処理を前記下り信号に施すＭＡＣ機能部とを備え、前記無線通信装置は、ＭＩＭＯに関する処理を前記上り信号に施すＭＩＭＯ処理部を備え、前記下り伝送部は、前記信号処理装置が前記変調部を備える場合、前記変調処理が施された前記下り信号を、前記ＭＩＭＯ処理部の処理単位に応じて分割し、前記上り伝送部は、前記信号処理装置が前記復号部を備える場合、前記ＭＩＭＯに関する処理が施された前記上り信号を、前記復号部又は前記ＭＡＣ機能部の処理単位に応じて分割する。
【００２６】
本発明の一態様は、信号処理を実行する装置である信号処理装置と無線通信を実行する装置である無線通信装置とを備える無線通信システムが実行する無線通信方法であって、前記信号処理装置が、前記無線通信装置における下り信号の処理単位に応じて前記下り信号を分割し、分割された前記下り信号を直列に伝送する下り伝送ステップと、前記無線通信装置が、前記信号処理装置における上り信号の処理単位に応じて前記上り信号を分割し、分割された前記上り信号を直列に伝送する上り伝送ステップとを含む無線通信方法である。
【発明の効果】
【００２７】
本発明により、信号の伝送の遅延を削減することが可能である。
【図面の簡単な説明】
【００２８】
【図１】第１実施形態における、無線通信システムの構成の例を示す図である。
【図２】第２実施形態における、無線通信システムの構成の例を示す図である。
【図３】第３実施形態における、無線通信システムの構成の例を示す図である。
【図４】第４実施形態における、無線通信システムの構成の例を示す図である。
【図５】第５実施形態における、無線通信システムの構成の例を示す図である。
【図６】第６実施形態における、無線通信システムの構成の例を示す図である。
【図７】第７実施形態における、無線通信システムの構成の例を示す図である。
【図８】第８実施形態における、無線通信システムの構成の例を示す図である。
【図９】第９実施形態における、無線通信システムの構成の例を示す図である。
【図１０】機能分割方式「ＭＡＣ−ＰＨＹ  ｓｐｌｉｔ」の例を示す図である。
【図１１】機能分割方式「Ｉｎｔｒａ−ＰＨＹ  ｓｐｌｉｔ」の例を示す図である。
【図１２】「ＭＡＣ−ＰＨＹ  ｓｐｌｉｔ」の下りリンクにおけるＭＦＨ伝送の例を示す図である。
【図１３】「ＭＡＣ−ＰＨＹ  ｓｐｌｉｔ」の上りリンクにおけるＭＦＨ伝送の例を示す図である。
【図１４】物理層の符号化部及び変調部の間の「Ｉｎｔｒａ  ＰＨＹ  ｓｐｌｉｔ」の下りリンクにおけるＭＦＨ伝送の例を示す図である。
【図１５】物理層の符号化部及び変調部の間の「Ｉｎｔｒａ  ＰＨＹ  ｓｐｌｉｔ」の上りリンクにおけるＭＦＨ伝送の例を示す図である。
【図１６】物理層の変調部及びＭＩＭＯ処理部の間の「Ｉｎｔｒａ  ＰＨＹ  ｓｐｌｉｔ」の下りリンクにおけるＭＦＨ伝送の例を示す図である。
【図１７】物理層の変調部及びＭＩＭＯ処理部の間の「Ｉｎｔｒａ  ＰＨＹ  ｓｐｌｉｔ」の上りリンクにおけるＭＦＨ伝送の例を示す図である。
【発明を実施するための形態】
【００２９】
本発明の実施形態について、図面を参照して詳細に説明する。
以下では、ＤＵは、複数でもよい。以下では、ＣＵ及びＤＵの間は、ポイント・トゥ・ポイント（Point-to-Point）接続でもよいし、Ｌ２スイッチやＰＯＮ（Passive Optical Network）等によるポイント・トゥ・マルチポイント（Point-to-Multipoint）接続でもよい。
【００３０】
（第１実施形態）
図１は、無線通信システム１の構成の例を示す図である。無線通信システム１は、移動通信システム等の無線通信システムである。無線通信システム１は、ＣＵ２と、ＤＵ３とを備える。ＣＵ２及びＤＵ３の間の通信リンクは、モバイルフロントホールである。ＣＵ２及びＤＵ３の間は、光ファイバ又は無線で接続される。
【００３１】
ＣＵ２は、ＭＡＣ機能部２０と、高度化多重部２１とを備える。ＤＵ３は、分離部３０と、符号化部３１−１〜３１−４と、変調部３２−１〜３２−４と、ＭＩＭＯ処理部３３−１〜３３−２と、リソース割当部３４と、ＩＦＦＴ部３５−１〜３５−４と、アンテナ３６−１〜３６−４とを備える。
【００３２】
第１実施形態では、ＣＵ２（送信元装置）は、下りリンクのＤＵ３（送信先装置）の符号化部３１の処理単位で信号を分割する。ＣＵ２は、直列の信号１０をＭＦＨ伝送する。ＣＵ２は、ＭＦＨ伝送における信号１０の伝送単位を小さくするので、下りリンクのＤＵ３における直列並列変換にともなう遅延を削減することができる。
【００３３】
ＭＡＣ機能部２０は、ＭＡＣ層における所定の信号処理を実行する。ＭＡＣ機能部２０は、符号化部３１の処理単位のサイズ情報「ＣＢ」を、ＤＵ３の配下の無線端末（不図示）ごとに保持している。ＭＡＣ機能部２０は、符号化部３１の処理単位のサイズ情報「ＣＢ」を、制御情報として高度化多重部２１に出力する。
【００３４】
高度化多重部２１（下り伝送部）は、ＴＢをＭＡＣ機能部２０から取得する。高度化多重部２１は、符号化部３１の処理単位のサイズ情報「ＣＢ」に基づいて、ＴＢをＣＢに分割する。高度化多重部２１は、並列の信号を直列の信号１０に変換（並列直列変換）する。高度化多重部２１は、直列の信号１０を多重する。下りリンクの信号１０（下り信号）のサイズは、符号化部３１の処理単位であるＣＢのサイズである。高度化多重部２１は、直列の信号１０をＭＦＨ伝送する。
【００３５】
高度化多重部２１は、ＴＢのサイズよりも小さいサイズのＣＢに分割された信号をＭＦＨ伝送するので、信号１０−２以降の各信号を分離部３０が取得するまでの待ち時間を削減することができる。したがって、無線通信システム１は、信号の伝送の遅延を削減することが可能である。
【００３６】
分離部３０（取得部）は、ＣＢである信号１０を、高度化多重部２１から取得する。分離部３０は、ＣＢである信号１０を、各符号化部３１に出力する。符号化部３１は、信号１０に符号化処理を施す。変調部３２は、符号化処理が施された信号１０に変調処理を施す。ＭＩＭＯ処理部３３は、変調処理が施された信号１０にＭＩＭＯ処理を施す。リソース割当部３４は、ＭＩＭＯ処理が施された信号１０に、帯域（リソース）を割り当てる。ＩＦＦＴ部３５は、帯域が割り当てられた信号１０に逆フーリエ変換を施して、無線信号を生成する。アンテナ３６は、ＤＵ３の配下の無線端末（不図示）に無線信号を送信する。
【００３７】
以上のように、無線通信システム１は、ＣＵ２とＤＵ３とを備える。ＣＵ２は、ＤＵ３における下り信号の処理単位に応じて下り信号を分割し、分割された下り信号を直列に伝送する高度化多重部２１を備える。ＤＵ３は、信号処理装置における上り信号の処理単位に応じて上り信号を分割し、分割された上り信号を直列に伝送する高度化多重部４０を備える。
【００３８】
第１実施形態の高度化多重部２１は、ＭＡＣに関する処理が施された下り信号を、符号化部３１の処理単位に応じて分割する。これによって、第１実施形態の無線通信システム１は、信号の伝送の遅延を削減することが可能である。
【００３９】
（第２実施形態）
第２実施形態では、ＭＦＨ伝送の分割方法が変調シンボルビットの単位の分割である点が、第１実施形態と相違する。第２実施形態では、第１実施形態との相違点についてのみ説明する。
【００４０】
図２は、無線通信システム１の構成の例を示す図である。第２実施形態では、ＣＵ２（送信元装置）は、下りリンクのＤＵ３（送信先装置）の変調部３２の処理単位で信号を分割する。ＣＵ２は、直列の信号１１をＭＦＨ伝送する。ＣＵ２は、ＭＦＨ伝送における信号１１の伝送単位を小さくするので、下りリンクのＤＵ３における直列並列変換にともなう遅延を削減することができる。
【００４１】
ＭＡＣ機能部２０は、変調部３２の処理単位のサイズ情報「変調シンボルビット」を、ＤＵ３の配下の無線端末（不図示）ごとに保持している。ＭＡＣ機能部２０は、変調部３２の処理単位のサイズ情報「変調シンボルビット」を、制御情報として高度化多重部２１に出力する。
【００４２】
高度化多重部２１は、ＴＢをＭＡＣ機能部２０から取得する。高度化多重部２１は、変調部３２の処理単位のサイズ情報「変調シンボルビット」に基づいて、ＴＢを変調シンボルビットに分割する。高度化多重部２１は、並列の信号を直列の信号１１に変換（並列直列変換）する。高度化多重部２１は、直列の信号１１を多重する。下りリンクの信号１１のサイズは、変調部３２の処理単位である変調シンボルビットのサイズである。高度化多重部２１は、直列の信号１１をＭＦＨ伝送する。
【００４３】
高度化多重部２１は、ＴＢのサイズよりも小さいサイズの変調シンボルビットに分割された信号１１をＭＦＨ伝送するので、信号１１−２以降の信号を分離部３０が取得するまでの待ち時間を削減することができる。高度化多重部２１は、変調シンボルビットの各信号１１の合計のサイズがＣＢのサイズになるまで次の信号１１のＭＦＨ伝送を保留したとしても、各信号１１の合計のサイズがＴＢのサイズになるまで次の信号１１のＭＦＨ伝送を保留した場合と比較して、信号の伝送の遅延を削減することが可能である。
【００４４】
以上のように、第２実施形態の高度化多重部２１は、ＭＡＣに関する処理が施された下り信号を、変調部３２の処理単位に応じて分割する。これによって、第２実施形態の無線通信システム１は、信号の伝送の遅延を削減することが可能である。
【００４５】
（第３実施形態）
第３実施形態では、上りリンクにおけるＭＦＨ伝送の分割方法がＴＢの単位の分割である点が、第１実施形態と相違する。第３実施形態では、第１実施形態との相違点についてのみ説明する。
【００４６】
図３は、無線通信システム１の構成の例を示す図である。ＣＵ２は、ＭＡＣ機能部２０と、分離部２２とを備える。ＭＡＣ機能部２０は、ＭＡＣ機能部２０の処理単位のサイズ情報「ＴＢ」を、制御情報として高度化多重部４０に出力する。ＤＵ３は、アンテナ３６−１〜３６−４と、ＦＦＴ部３７−１〜３７−４と、リソース割当部３４と、ＭＩＭＯ処理部３３−１〜３３−２と、復調部３８−１〜３８−４と、復号部３９−１〜３９−４と、高度化多重部４０とを備える。
【００４７】
第３実施形態では、ＤＵ３（送信元装置）は、上りリンクのＣＵ２（送信先装置）のＭＡＣ機能部２０の処理単位で信号を分割する。ＤＵ３は、直列の信号１２をＭＦＨ伝送する。ＤＵ３は、ＭＦＨ伝送における信号１２の伝送単位をＭＡＣ機能部２０の処理単位と同じにするので、上りリンクのＣＵ２における直列並列変換にともなう遅延を削減することができる。
【００４８】
アンテナ３６は、ＤＵ３の配下の無線端末（不図示）から無線信号を受信する。ＦＦＴ部３７は、無線信号にフーリエ変換を施して信号を生成する。リソース割当部３４は、フーリエ変換が施された信号に割り当てられた帯域に基づいて、ベースバンド信号を生成する。ＭＩＭＯ処理部３３は、生成されたベースバンド信号にＭＩＭＯ処理の逆変換処理を施す。復調部３８は、ＭＩＭＯ処理の逆変換処理が施された信号を復調する。復号部３９は、復調された信号を復号する。
【００４９】
高度化多重部４０（上り伝送部）は、ＭＡＣ機能部２０の処理単位のサイズ情報「ＴＢ」を、ＭＡＣ機能部２０から取得する。高度化多重部４０は、ＣＢを復号部３９から取得する。高度化多重部４０は、ＭＡＣ機能部２０の処理単位のサイズ情報「ＴＢ」に基づいて、ＣＢを結合してＴＢにする。高度化多重部４０は、並列の信号を直列の信号１２に変換（並列直列変換）する。高度化多重部４０は、直列の信号１２を多重する。上りリンクの信号１２（上り信号）のサイズは、高度化多重部４０の処理単位であるＴＢのサイズである。高度化多重部４０は、直列の信号１２をＭＦＨ伝送する。
【００５０】
高度化多重部４０は、ＣＢのサイズよりも大きいサイズのＴＢをＭＦＨ伝送するので、各信号１２の合計のサイズがＴＢのサイズになるまで次の信号１２のＭＦＨ伝送を保留する必要がない。したがって、無線通信システム１は、信号の伝送の遅延を削減することが可能である。
【００５１】
分離部２２（取得部）は、ＴＢである信号１２を、高度化多重部４０から取得する。分離部３０は、ＴＢである信号１２を、ＭＡＣ機能部２０に出力する。
【００５２】
以上のように、第３実施形態の高度化多重部４０は、復号処理が施された上り信号を、ＭＡＣ機能部２０の処理単位に応じて分割する。これによって、第３実施形態の無線通信システム１は、信号の伝送の遅延を削減することが可能である。
【００５３】
（第４実施形態）
第４実施形態では、符号化部及び変調部の間の機能分割方式が「Ｉｎｔｒａ−ＰＨＹ  ｓｐｌｉｔ」である点が、第２実施形態と相違する。第４実施形態では、第２実施形態との相違点についてのみ説明する。
【００５４】
図４は、無線通信システム１の構成の例を示す図である。ＣＵ２は、ＭＡＣ機能部２０と、符号化部２３−１〜２３−４と、高度化多重部２１とを備える。ＭＡＣ機能部２０は、変調部３２の処理単位のサイズ情報「変調シンボルビット」を、制御情報として高度化多重部２１に出力する。ＤＵ３は、分離部３０と、変調部３２−１〜３２−４と、ＭＩＭＯ処理部３３−１〜３３−２と、リソース割当部３４と、ＩＦＦＴ部３５−１〜３５−４と、アンテナ３６−１〜３６−４とを備える。
【００５５】
第４実施形態では、ＣＵ２（送信元装置）は、下りリンクのＤＵ３（送信先装置）の変調部３２の処理単位で信号を分割する。ＣＵ２は、直列の信号１１をＭＦＨ伝送する。ＣＵ２は、ＭＦＨ伝送における信号１１の伝送単位を小さくするので、下りリンクのＤＵ３における直列並列変換にともなう遅延を削減することができる。
【００５６】
符号化部２３は、ＴＢをＭＡＣ機能部２０から取得する。符号化部２３は、ＴＢに符号化処理を施す。符号化部２３は、ＴＢを高度化多重部２１に出力する。
【００５７】
高度化多重部２１は、符号化処理が施されたＴＢを、符号化部２３から取得する。高度化多重部２１は、変調部３２の処理単位のサイズ情報「変調シンボルビット」に基づいて、ＴＢを変調シンボルビットに分割する。高度化多重部２１は、並列の信号を直列の信号１１に変換（並列直列変換）する。高度化多重部２１は、直列の信号１１を多重する。下りリンクの信号１１のサイズは、変調部３２の処理単位である変調シンボルビットのサイズである。高度化多重部２１は、直列の信号１１をＭＦＨ伝送する。
【００５８】
高度化多重部２１は、ＣＢのサイズよりも小さいサイズの変調シンボルビットに分割された信号１１をＭＦＨ伝送するので、信号１１−２以降の信号を分離部３０が取得するまでの待ち時間を削減することができる。高度化多重部２１は、変調シンボルビットの各信号１１の合計のサイズがＣＢのサイズになるまで次の信号１１のＭＦＨ伝送を保留する必要がない。したがって、無線通信システム１は、信号の伝送の遅延を削減することが可能である。
【００５９】
以上のように、第４実施形態の高度化多重部２１は、符号化処理が施された下り信号を、変調部３２の処理単位に応じて分割する。これによって、第４実施形態の無線通信システム１は、信号の伝送の遅延を削減することが可能である。
【００６０】
（第５実施形態）
第５実施形態では、符号化部及び変調部の間の機能分割方式が「Ｉｎｔｒａ−ＰＨＹ  ｓｐｌｉｔ」である点と、ＭＦＨ伝送の分割方法がＣＢの単位の分割である点とが、第３実施形態と相違する。第５実施形態では、第３実施形態との相違点についてのみ説明する。
【００６１】
図５は、無線通信システム１の構成の例を示す図である。ＣＵ２は、ＭＡＣ機能部２０と、分離部２２と、復号部２４−１〜２４−４とを備える。ＭＡＣ機能部２０は、ＭＡＣ機能部２０の処理単位のサイズ情報「ＴＢ」を、制御情報として高度化多重部４０に出力する。ＤＵ３は、アンテナ３６−１〜３６−４と、ＦＦＴ部３７−１〜３７−４と、リソース割当部３４と、ＭＩＭＯ処理部３３−１〜３３−２と、復調部３８−１〜３８−４と、高度化多重部４０とを備える。
【００６２】
第５実施形態では、ＤＵ３（送信元装置）は、上りリンクのＣＵ２（送信先装置）の復号部２４の処理単位で信号を分割する。ＤＵ３は、直列の信号１３をＭＦＨ伝送する。ＤＵ３は、ＭＦＨ伝送における信号１３の伝送単位を復号部２４の処理単位と同じにするので、上りリンクのＣＵ２における直列並列変換にともなう遅延を削減することができる。
【００６３】
高度化多重部４０は、復号部２４の処理単位のサイズ情報「ＬＬＲ−ＣＢ」を、ＭＡＣ機能部２０から取得する。高度化多重部４０は、ＬＬＲを復調部３８から取得する。高度化多重部４０は、復号部２４の処理単位のサイズ情報「ＬＬＲ−ＣＢ」に基づいて、ＬＬＲを結合してＬＬＲ−ＣＢにする。高度化多重部４０は、並列の信号を直列の信号１３に変換（並列直列変換）する。高度化多重部４０は、直列の信号１３を多重する。上りリンクの信号１３のサイズは、復号部２４の処理単位であるＬＬＲ−ＣＢのサイズである。高度化多重部４０は、直列の信号１３をＭＦＨ伝送する。
【００６４】
高度化多重部４０は、ＬＬＲのサイズよりも大きいサイズのＬＬＲ−ＣＢをＭＦＨ伝送するので、各信号１３の合計のサイズがＬＬＲ−ＣＢのサイズになるまで次の信号１３のＭＦＨ伝送を保留する必要がない。したがって、無線通信システム１は、信号の伝送の遅延を削減することが可能である。
【００６５】
分離部２２（取得部）は、ＬＬＲ−ＣＢである信号１２を、高度化多重部４０から取得する。分離部３０は、ＬＬＲ−ＣＢである信号１２を、復号部２４−１〜２４−４に出力する。
【００６６】
以上のように、第５実施形態の高度化多重部４０は、復調処理が施された上り信号を、復号部２４の処理単位に応じて分割する。これによって、第５実施形態の無線通信システム１は、信号の伝送の遅延を削減することが可能である。
【００６７】
（第６実施形態）
第６実施形態では、符号化部及び変調部の間の機能分割方式が「Ｉｎｔｒａ−ＰＨＹ  ｓｐｌｉｔ」である点が、第３実施形態と相違する。第６実施形態では、第３実施形態との相違点についてのみ説明する。
【００６８】
図６は、無線通信システム１の構成の例を示す図である。ＣＵ２は、ＭＡＣ機能部２０と、分離部２２と、復号部２４−１〜２４−４とを備える。ＭＡＣ機能部２０は、「ＬＬＲブロック」のサイズ情報を、制御情報として高度化多重部４０に出力する。ＬＬＲブロックのサイズは、ＭＡＣ機能部２０の処理単位であるＴＢのサイズに対応するサイズである。ＴＢのサイズに対応するサイズとは、ＭＡＣ機能部２０の処理単位であるＴＢのサイズと同じサイズである。ＤＵ３は、アンテナ３６−１〜３６−４と、ＦＦＴ部３７−１〜３７−４と、リソース割当部３４と、ＭＩＭＯ処理部３３−１〜３３−２と、復調部３８−１〜３８−４と、高度化多重部４０とを備える。
【００６９】
第６実施形態では、ＤＵ３（送信元装置）は、上りリンクのＣＵ２（送信先装置）の復号部２４の処理単位で信号を分割する。ＤＵ３は、直列の信号１４をＭＦＨ伝送する。ＤＵ３は、ＭＦＨ伝送における信号１４の伝送単位を復号部２４の処理単位と同じにするので、上りリンクのＣＵ２における直列並列変換にともなう遅延を削減することができる。
【００７０】
高度化多重部４０は、サイズ情報「ＬＬＲブロック」を、ＭＡＣ機能部２０から取得する。高度化多重部４０は、ＬＬＲを復調部３８から取得する。高度化多重部４０は、サイズ情報「ＬＬＲブロック」に基づいて、ＬＬＲを結合してＬＬＲブロックにする。高度化多重部４０は、並列の信号を直列の信号１４に変換（並列直列変換）する。高度化多重部４０は、直列の信号１４を多重する。上りリンクの信号１４は、ＬＬＲブロックである。高度化多重部４０は、直列の信号１４をＭＦＨ伝送する。
【００７１】
第６実施形態では、復号部２４の処理単位であるＬＬＲ−ＣＢ以上のサイズの信号１４を分離部２２が取得することになるが、ＬＬＲブロックのサイズのデータを１回の送受信で分離部２２が取得するので、無線通信システム１は、信号の伝送の遅延を削減することが可能である。
【００７２】
高度化多重部４０は、ＬＬＲのサイズよりも大きいサイズのＬＬＲブロックをＭＦＨ伝送するので、複数の信号１４の合計のサイズがＴＢのサイズになるまで次の信号１４のＭＦＨ伝送を保留する必要がない。したがって、無線通信システム１は、信号の伝送の遅延を削減することが可能である。
【００７３】
以上のように、第６実施形態の高度化多重部４０は、復調処理が施された上り信号を、ＭＡＣ機能部２０の処理単位に応じて分割する。これによって、第６実施形態の無線通信システム１は、信号の伝送の遅延を削減することが可能である。
【００７４】
（第７実施形態）
第７実施形態では、変調部及びＭＩＭＯ処理部の間の機能分割方式が「Ｉｎｔｒａ−ＰＨＹ  ｓｐｌｉｔ」である点が、第４実施形態と相違する。第７実施形態では、第４実施形態との相違点についてのみ説明する。
【００７５】
図７は、無線通信システム１の構成の例を示す図である。ＣＵ２は、ＭＡＣ機能部２０と、符号化部２３−１〜２３−４と、変調部２５−１〜２５−４と、高度化多重部２１とを備える。ＤＵ３は、分離部３０と、ＭＩＭＯ処理部３３−１〜３３−２と、リソース割当部３４と、ＩＦＦＴ部３５−１〜３５−４と、アンテナ３６−１〜３６−４とを備える。
【００７６】
第７実施形態では、ＣＵ２（送信元装置）は、下りリンクのＤＵ３（送信先装置）のＭＩＭＯ処理部３３の処理単位で信号を分割する。ＣＵ２は、直列の信号１５をＭＦＨ伝送する。ＣＵ２は、ＭＦＨ伝送における信号１５の伝送単位を小さくするので、下りリンクのＤＵ３における直列並列変換にともなう遅延を削減することができる。
【００７７】
変調シンボルビットのサイズは、無線通信システム１において予め定められた変調シンボルのＩＱデータの量子化ビット数で決まる固定値であり、変調方式に依存しない値である。このため、ＭＡＣ機能部２０は、ＭＩＭＯ処理部３３の処理単位のサイズ情報「変調シンボルビット」を、制御情報として高度化多重部２１に出力しなくてもよい。
【００７８】
符号化部２３は、ＴＢをＭＡＣ機能部２０から取得する。符号化部２３は、ＴＢに符号化処理を施す。符号化部２３は、ＴＢを変調部２５に出力する。変調部２５は、符号化処理が施された信号に変調処理を施す。
【００７９】
高度化多重部２１は、変調処理が施されたＣＢを、変調部２５から取得する。高度化多重部２１は、無線通信システム１において予め定められた処理単位のサイズ情報「変調シンボルビット」に基づいて、ＣＢを無線端末（不図示）ごとの２種類の変調シンボルビットに分割する。高度化多重部２１は、並列の信号を直列の信号１５に変換（並列直列変換）する。高度化多重部２１は、直列の信号１５を多重する。下りリンクの信号１５のサイズは、ＭＩＭＯ処理部３３の処理単位である変調シンボルビットのサイズである。高度化多重部２１は、直列の信号１５をＭＦＨ伝送する。
【００８０】
高度化多重部２１は、ＣＢのサイズよりも小さいサイズの変調シンボルビットに分割された信号１５をＭＦＨ伝送するので、信号１５−２以降の信号を分離部３０が取得するまでの待ち時間を削減することができる。したがって、無線通信システム１は、信号の伝送の遅延を削減することが可能である。
【００８１】
以上のように、第７実施形態の高度化多重部２１は、変調処理が施された下り信号を、ＭＩＭＯ処理部３３の処理単位に応じて分割する。これによって、第７実施形態の無線通信システム１は、信号の伝送の遅延を削減することが可能である。
【００８２】
（第８実施形態）
第８実施形態では、変調部及びＭＩＭＯ処理部の間の機能分割方式が「Ｉｎｔｒａ−ＰＨＹ  ｓｐｌｉｔ」である点が、第５実施形態と相違する。第８実施形態では、第５実施形態との相違点についてのみ説明する。
【００８３】
図８は、無線通信システム１の構成の例を示す図である。ＣＵ２は、ＭＡＣ機能部２０と、分離部２２と、復号部２４−１〜２４−４と、復調部２６−１〜２６−４とを備える。ＤＵ３は、アンテナ３６−１〜３６−４と、ＦＦＴ部３７−１〜３７−４と、リソース割当部３４と、ＭＩＭＯ処理部３３−１〜３３−２と、高度化多重部４０とを備える。
【００８４】
第８実施形態では、ＤＵ３（送信元装置）は、上りリンクのＣＵ２（送信先装置）の復号部２４の処理単位で信号を分割する。ＤＵ３は、直列の信号１３をＭＦＨ伝送する。ＤＵ３は、ＭＦＨ伝送における信号１３の伝送単位を復号部２４の処理単位と同じにするので、上りリンクのＣＵ２における直列並列変換にともなう遅延を削減することができる。
【００８５】
復号部２４の処理単位であるＣＢのサイズは、無線通信システム１において予め定められた変調シンボルのＩＱデータの量子化ビット数で決まる固定値であり、変調方式に依存しない値である。このため、ＭＡＣ機能部２０は、復号部２４の処理単位であるサイズ情報「ＣＢ」を、制御情報として高度化多重部４０に出力しなくてもよい。
【００８６】
高度化多重部４０は、無線端末（不図示）ごとの２種類の変調シンボルビットを、ＭＩＭＯ処理部３３から取得する。高度化多重部４０は、変調シンボルビットを結合してＣＢにする。高度化多重部４０は、並列の信号を直列の信号１６に変換（並列直列変換）する。高度化多重部４０は、直列の信号１６を多重する。上りリンクの信号１６は、復号部２４の処理単位であるＣＢである。高度化多重部４０は、直列の信号１６をＭＦＨ伝送する。
【００８７】
高度化多重部４０は、変調シンボルビットのサイズよりも大きいサイズのＣＢをＭＦＨ伝送するので、各信号１６の合計のサイズがＣＢのサイズになるまで次の信号１６のＭＦＨ伝送を保留する必要がない。したがって、無線通信システム１は、信号の伝送の遅延を削減することが可能である。
【００８８】
以上のように、第８実施形態の高度化多重部４０は、ＭＩＭＯに関する処理が施された上り信号を、復号部２４の処理単位に応じて分割する。これによって、第８実施形態の無線通信システム１は、信号の伝送の遅延を削減することが可能である。
【００８９】
（第９実施形態）
第９実施形態では、変調部及びＭＩＭＯ処理部の間の機能分割方式が「Ｉｎｔｒａ−ＰＨＹ  ｓｐｌｉｔ」である点が、第６実施形態と相違する。第９実施形態では、第６実施形態との相違点についてのみ説明する。
【００９０】
図９は、無線通信システム１の構成の例を示す図である。ＣＵ２は、ＭＡＣ機能部２０と、分離部２２と、復号部２４−１〜２４−４と、復調部２６−１〜２６−４とを備える。ＤＵ３は、アンテナ３６−１〜３６−４と、ＦＦＴ部３７−１〜３７−４と、リソース割当部３４と、ＭＩＭＯ処理部３３−１〜３３−２と、高度化多重部４０とを備える。
【００９１】
第９実施形態では、ＤＵ３（送信元装置）は、上りリンクのＣＵ２（送信先装置）のＭＡＣ機能部２０の処理単位で信号を分割する。ＤＵ３は、直列の信号１７をＭＦＨ伝送する。ＤＵ３は、ＭＦＨ伝送における信号１７の伝送単位をＭＡＣ機能部２０の処理単位と同じにするので、上りリンクのＣＵ２における直列並列変換にともなう遅延を削減することができる。
【００９２】
ＭＡＣ機能部２０の処理単位であるＴＢのサイズは、無線通信システム１において予め定められた変調シンボルのＩＱデータの量子化ビット数で決まる固定値であり、変調方式に依存しない値である。このため、ＭＡＣ機能部２０は、ＭＡＣ機能部２０の処理単位であるサイズ情報「ＴＢ」を、制御情報として高度化多重部４０に出力しなくてもよい。
【００９３】
高度化多重部４０は、変調シンボルビットを、ＭＩＭＯ処理部３３から取得する。高度化多重部４０は、変調シンボルビットを結合して変調シンボルブロック「ＳＢ」にする。変調シンボルブロックのサイズは、ＭＡＣ機能部２０の処理単位であるＴＢのサイズに対応するサイズである。ＴＢのサイズに対応するサイズとは、ＭＡＣ機能部２０の処理単位であるＴＢのサイズと同じサイズである。
【００９４】
高度化多重部４０は、並列の信号を直列の信号１７に変換（並列直列変換）する。高度化多重部４０は、直列の信号１７を多重する。高度化多重部４０は、直列の信号１７をＭＦＨ伝送する。上りリンクの信号１７は、変調シンボルブロックである。復調部２６の処理単位である変調シンボルビット以上のサイズの信号１７を分離部２２が取得することになるが、変調シンボルブロックのサイズのデータを１回の送受信で分離部２２が取得するので、無線通信システム１は、信号の伝送の遅延を削減することが可能である。
【００９５】
高度化多重部４０は、変調シンボルビットよりも大きいサイズの変調シンボルブロックをＭＦＨ伝送するので、複数の信号１７の合計のサイズがＴＢのサイズになるまで次の信号１７のＭＦＨ伝送を保留する必要がない。したがって、無線通信システム１は、信号の伝送の遅延を削減することが可能である。
【００９６】
以上のように、第９実施形態の高度化多重部４０は、ＭＩＭＯに関する処理が施された上り信号を、ＭＡＣ機能部２０の処理単位に応じて分割する。これによって、第９実施形態の無線通信システム１は、信号の伝送の遅延を削減することが可能である。
【００９７】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００９８】
本発明は、無線通信システムに適用可能である。
【符号の説明】
【００９９】
１…無線通信システム、２…ＣＵ、３…ＤＵ、１０…信号、１１…信号、１２…信号、１３…信号、１４…信号、１５…信号、１６…信号、１７…信号、２０…ＭＡＣ機能部、２１…高度化多重部、２３…符号化部、２４…復号部、２５…変調部、２６…復調部、３０…分離部、３１…符号化部、３２…変調部、３３…ＭＩＭＯ処理部、３４…リソース割当部、３５…ＩＦＦＴ部、３６…アンテナ、３７…ＦＦＴ部、３８…復調部、３９…復号部、４０…高度化多重部
【図１】
2019009635.tif 000003
【図２】
2019009635.tif 000004
【図３】
2019009635.tif 000005
【図４】
2019009635.tif 000006
【図５】
2019009635.tif 000007
【図６】
2019009635.tif 000008
【図７】
2019009635.tif 000009
【図８】
2019009635.tif 000010
【図９】
2019009635.tif 000011
【図１０】
2019009635.tif 000012
【図１１】
2019009635.tif 000013
【図１２】
2019009635.tif 000014
【図１３】
2019009635.tif 000015
【図１４】
2019009635.tif 000016
【図１５】
2019009635.tif 000017
【図１６】
2019009635.tif 000018
【図１７】
2019009635.tif 000019